(57)【要約】      （修正有）【課題】ゲートが閉止位置まで動かされたときに自動的にラッチ掛けされる磁気ラッチ掛け具の提供。【解決手段】ラッチモジュール１１は、操作用ハンドル１５を両側に備えた構造部材を有し、構造部材はゲートの端部柱６１に取付けできる。受容ラッチブロック１２のラッチ本体５３は、ラッチ掛け肩部を形成する空洞の下端部に高力磁石５４を有する。構造部材に組込んだラッチ掛けピン２５は、ゲート閉止位置において、磁気吸引により、バネ２６の押圧に抗してラッチ掛け位置まで変位する。ハンドルを回転して磁力に抗してラッチ掛けピンを引込めることにより、ゲートを回動開放できる。ハンドルを引上げるとバネがラッチ掛けピンを引込位置に保持する。ハンドルが引上げられ、かつラッチ掛けピンが引込位置に保持されるとき、ピンの上には実質的に荷重が加えられない。空動き手段を組込むために、ハウジング内にキャリッジ３１と胴筒の耳状部４１を設ける。【選択図】図７
2005240540.tif 000002
【特許請求の範囲】
【請求項１】
ラッチ掛けしない場合に互いに移動自在な２つの部材を、所定の位置にラッチ掛けする自動ラッチ掛け器具であって、
（ａ）ハウジングと、
（ｂ）２つの部材の第１の部材上へラッチアームを取付けるハウジング内に変位自在に取付けられるラッチアームであって、ハウジングを通る経路に沿って変位自在であり、かつラッチ掛け位置にあるときにハウジングから延びるように取付けられるラッチ部分を有するラッチアームと、
（ｃ）２つの部材の第２の部材上に取付けられるようになっており、かつ所定位置からの２つの部材の相対的移動を阻止するためにラッチ位置用のラッチ掛け肩部を形成する保持エレメントと、
（ｄ）ラッチアームと保持エレメントの少なくとも一方は、磁場を形成し、また他方は、２つの部材が所定の位置にあるときに磁場の影響を受けてラッチアームをラッチ掛け肩部とラッチ掛け係合させるように対処される磁気特性を有するので、２つの部材の相対的移動は、ほぼ阻止されるが、ラッチ位置は、加えられた力を受けて、保持エレメントから離れて引込位置まで変位可能であるので、２つの部材を離間することができ、
（ｅ）ラッチアームを引込位置へ向けて押圧する、ラッチアームへ付随する弾性押圧手段であるが、２つの部材が所定の位置に位置決めされるときに磁場によりラッチアームへ加えられる力よりも小さい、ラッチアーム上に加えられる押圧力を有する弾性押圧手段と、
（ｆ）変位力を受容してラッチアームをラッチ掛け位置から引込位置まで変位する、ハウジング上に取付けられ、かつラッチ部分の変位経路へ直交して延びるアクチュエータであって、それにより、２つの部材を、所定の位置から離間することができるアクチュエータと、
（ｇ）ラッチアームをラッチ掛け位置から引込位置まで変位させ、かつアクチュエータをコネクタに関して自由に移動させるように、アクチュエータとラッチアームを接続するコネクタと、
（ｈ）変位力を除くと、アクチュエータを初期位置に戻して、ラッチアームを引込位置にほぼ維持するように押圧手段を作動させる弾性復元手段であって、それにより、ラッチアームは、所定位置にあるときに、ラッチ掛け位置を再形成する押圧手段に抗して、磁力を受けて変位自在である弾性復元手段と、から成る器具。
【請求項２】
アクチュエータは、ハウジング内で回転自在に取付けられ、またラッチアームは、ハウジング内で往復動できるように取付けられる、請求項１に記載の器具。
【請求項３】
アクチュエータは、ハウジングの少なくとも片側に力を手動で加えるための回転自在のハンドルを有する、請求項２に記載の器具。
【請求項４】
錠掛け自在の回転自在ハンドルが、第１の部材の対応する側に位置決めするためにハウジングの両側に取付けられ、およびそれぞれのハンドルはアクチュエータにつながっているので、いずれかのハンドルの錠が外されるときに、そのハンドルを回転してアクチュエータを動かすことができる、請求項３に記載の器具。
【請求項５】
コネクタは、取付け構造体の溝に沿って摺動する離間した案内部材を有するキャリッジの形態であり、ラッチアームは、キャリッジ上に取付けられる細長いピンの形態であり、および押圧手段は、ピンの周りに取付けられるコイル圧縮押圧バネの形態である、請求項１乃至４のいずれかに記載の器具。
【請求項６】
キャリッジは、胴筒の回転に応答してキャリッジを変位するアクチュエータの胴筒部分に付随する対応する耳状エレメントと係合するために、開放端部近くに丸い突出部を有する一般にＣ形キャリッジの形態である、請求項５に記載の器具。
【請求項７】
約１５ｃｍｘ１０ｃｍｘ５ｃｍの容積内にほぼ適合するように寸法が決められる、請求項１乃至６のいずれかに記載の器具であって、磁場は、約１２キロガウスの残留磁気（残留磁束密度）を有する永久磁石により形成され、またラッチアームは、磁気特性を有し、かつ約８ｍｍの横方向寸法のピンを有し、かつ保持エレメント内に取付けられ、およびラッチ部分は磁気特性を有する、器具。
【請求項８】
ラッチアームは、ドラム状構造部材を有し、またその部材の周りに屈曲自在の接続エレメントが延び、そのエレメントは、ラッチアームを引込むためにアクチュエータの移動によりドラムが回転されるときに引張られ、かつ２つの部材が所定位置から離され、およびアクチュエータが解放されるときに押圧手段に抗して荷重を避けるように、解放される、請求項１乃至４のいずれかに記載の器具。
【請求項９】
アクチュエータを動かす遠隔に操作自在の駆動手段からさらに成る、請求項１乃至８のいずれかに記載の器具。
【請求項１０】
アクチュエータは、回転できるように取付けられ、および変位力に応答して回転されるようになっている内筒を有し、その内筒は係合手段を有し、またそのコネクタは、内筒の回転に応答してコネクタとラッチアームを変位するために係合手段により係合されるようになっている相補的な係合手段を有する、請求項１乃至９のいずれかに記載の器具。
【請求項１１】
内筒は、胴筒状のコアエレメントと、相対的に回転自在の鍔状エレメントと、および器具錠掛け構成と器具錠外し構成との間で錠が回転すると、引込位置と係合位置との間で変位自在の接続エレメントを有するので、器具錠外し構成において、接続エレメントは、内筒と鍔状エレメントを相互接続して回転を鍔状エレメントへ伝達し、ついで鍔状エレメントがコネクタとラッチアームを変位する、請求項１０に記載の器具。
【請求項１２】
接続エレメントは、内筒のスロット内に取付けられ、かつ内筒の回転を鍔状エレメントへ伝達するために、器具錠外し構成において鍔状エレメントの空洞に係合する先端部を有する凸縁部から成る、請求項１１に記載の器具であって、器具の錠における鍵回転に応答し、かつ凸縁部へ接続されて凸縁部をスロット内で変位する回転自在の駆動エレメントからさらに成る器具。
【請求項１３】
駆動エレメントは、軸方向の接続ピン、および軸方向から外れた接続ピンを有し、軸方向から外れた接続ピンは、凸縁部の対応する各開口に係合して、その凸縁部を、器具の錠の作動に応答して変位する、請求項１２に記載の器具。
【請求項１４】
アクチュエータは、ラッチアームが沿って移動するようになっている経路に直交する経路に沿って移動できるように取付けられる押しエレメントからさらに成り、その押しエレメントは、押しエレメントの移動をアクチュエータの回転移動に変換し、ついでコネクタの移動に変換する付随したギヤリンク機構を有する、請求項１または２に記載の器具。
【発明の詳細な説明】
【技術分野】
【０００１】
本発明は、ゲートまたはドアーがラッチ掛けされる位置まで動かされるときに自動ラッチ掛けが必要である場合に、ゲートまたはドアーに使用するのが好適な磁気ラッチに関する。ゲートまたはドアーを、そのラッチ掛け位置から離れて、通常は回動自在に開放できるように、ラッチ外しするアクチュエータが設けられる。
【０００２】
種々の実施形態での本発明は、従来利用可能なオプションに対する新規で有用な代替手段を提供し、かつ実際に、高級なシリンダ錠のような保安錠を組込むことができる実施態様に役立つ。
【背景技術】
【０００３】
磁気ラッチ掛けと、その器具における大きい改良点は、ＰＣＴ国際公開ＷＯ９２／０３６１の主題であり、その主題に基づいて、米国特許第５３６２１１６号がＤａｖｉｄＤｏｙｌｅとＮｅｉｌＤｕｎｎｅへ付与された。この発明は、本発明の譲受人へ譲渡されている。ＤｏｙｌｅとＤｕｎｎｅの発明は、空動き手段を有する特に水泳プールゲート用の垂直操作磁気ラッチに関するので、手動引込み後で、かつゲートを開放後にラッチ掛けピンが、バネ押圧により高くした引込位置に保持され、またその作動機構は、下方へ荷重を加える力を押圧バネへ押付けない。
【０００４】
この器具が所期通り利用されているが、本発明は、種々の形態の種々の用途に新規の創意のある代替の実施態様を提供するものと考えられている。実際に本発明は、バネドアーラッチを有する従来の受座に対する代替器具としての磁気ラッチ掛けを提供するために適用でき、また本発明は、錠を組込む変形態様に役立つことができる。
【０００５】
本発明の実施態様は、手動で作動自在の変形態様（回転自在の回転ノブまたは回転ハンドルを有する実施態様のような）まで包含するように意図されるが、遠隔位置からの作動を許容する電磁部または電気モータのような他の手段による作動も包含する。これらの実施形態において特に重要な点は、ＤｏｙｌｅとＤｕｎｎｅの先行特許により実証された磁気ラッチ掛けの固有の特性であり、それにより、ゲートまたはドアーがその閉止位置まで回動されるときに、バネ押圧ラッチピンをラッチ係合する前にラッチ掛け位置からはじめに離す力が必要である従来のゲートラッチとは対照的に、ＤｏｙｌｅとＤｕｎｎｅの場合は、そのような抵抗は無い。これは自動ドア閉鎖装置を有する据え付けに特に重要である。
【発明の開示】
【課題を解決するための手段】
【０００６】
本発明は、所定の位置において、２つの部材をラッチ掛けする自動ラッチ掛け器具において実現され、それらの部材は、自動ラッチ掛けでない場合に互いに移動自在であり、その器具は、ラッチアームと、および使用に際してラッチアーム用のラッチ掛け肩部を形成して、それらの部材の相対的移動を阻止する保持エレメントとから成り、ラッチアームと保持エレメントの少なくとも一方は、磁場を形成し、また他方は磁気特性を有し、ラッチアームは、上述の部材の第１の部材上に変位自在に取付けられるように配置され、また保持エレメントは、上述の部材の第２の部材に付随するように配置され、ラッチアームと保持エレメントは、それらの部材が所定の位置にあるときに磁場の影響を受けて、ラッチ掛け位置に相対的移動し、ついで２つの部材の相対的移動が、ラッチアームとラッチ掛け肩部の相互係合の係合部分により、ほぼ阻止され、およびラッチアームは、加えられた力を受けて、保持エレメントから離れて、引込位置まで変位自在であるので、それらの部材が離れるように移動でき、その器具は、（ａ）ラッチアームを引込位置へ向けて押圧するためにラッチアームへ付随する弾性押圧エレメントであるが、それらの部材が所定の位置に位置決めされるときに、磁場によりラッチアーム上へ加えられる力よりも小さいラッチアーム上の押圧力を有するエレメントと、（ｂ）ラッチアームをそのラッチ掛け位置から引込位置まで変位する変位力を受容し、それにより、２つの部材が所定の位置から互いに離間できるように、ハウジング上に移動自在に取付けられ、かつラッチ部分の変位経路に直交してハウジングから延びるアクチュエータと、（ｃ）アクチュエータとラッチアームを接続するコネクタであって、ラッチアームをそのラッチ掛け位置から引込位置まで変位させ、かつアクチュエータをコネクタに関して自由に移動させるコネクタと、（ｄ）ラッチアームとコネクタを引込位置にほぼ維持するように押圧エレメントを作動させる変位力を除くと、アクチュエータをその初期位置に戻し、それにより、所定の位置にあるときに、ラッチアームは、ラッチ掛け位置を再形成する押圧手段に抗して磁力を受けて変位自在である、第２の押圧エレメントと、からさらに成る。
【０００７】
本発明は、アクチュエータとラッチアームとの間に空動き相互接続部を備え、それにより、引込位置にあるラッチ掛けアームとその押圧エレメントへ大きい荷重が加えられないことにより、実現できる。
【０００８】
本発明において、アクチュエータを、ラッチアームが変位される平面内、またはその平面に直交して直線状、円弧状または回転状に移動自在であるように、設計できる。
【０００９】
特定の実施態様は、ラッチアームがハウジング内で往復動できるように取付けられ、またハウジングが、回転式アクチュエータの形態のアクチュエータを取付け、そのアクチュエータは、たとえば、ゲートのいずれかの側に配設されるように、器具のいずれかの側に１つのハンドルを設けるオプションを有する従来の回転自在のハンドルを備えることができる実施態様である。それぞれのハンドルは、保安上の理由でウエーハ錠またはシリンダ錠のような錠掛け機構を組込むことがある。ハウジングは、代替錠掛け機構を組込むことがある。
【００１０】
一実施態様は、離間した案内部材を有するキャリッジを提供し、その案内部材に沿ってラッチアームの取付けエレメントが摺動でき、ラッチアームは、ピンを組込み、そのピンの周りに、コイル圧縮押圧バネが押圧手段として取付けられる。そのような実施態様において、ねじりバネを、回転式作動手段（ハンドルのような）用の復元手段として設けることができる。
【００１１】
図示される実施態様を参照して説明するように、ラッチアームは、ハウジング内の案内手段内を移動する一般にＣ形キャリッジの形態をとることができ、そのＣ形キャリッジは、回転自在のハンドルへ接続される胴筒に付随する対応する突出しエレメントと係合するために、その開放端部に丸い突出部を有する。
【００１２】
しかしながら、別の方法は、ラッチアームにドラム状構造部材を設けることであり、その部材の周りに屈曲自在の接続エレメントが延びる。その器具は、そのエレメントが、ラッチアームがラッチ掛け位置にあり、かつアクチュエータによりドラムが回転すると、ラッチアームが引込まされるときに、伸ばされ、かつ多分引張られるようになっている。その器具は、ゲート（またはドアー）が開放位置まで動かされた後に、押圧手段がラッチアームを引込位置に保持し、また屈曲自在のエレメントへ加えられた張力が解放されるので、押圧手段へ荷重が全く押付けられないか、または無視できる荷重だけが押付けられるようになっている。
【００１３】
その器具は、ゲート開放を遠隔で制御するために遠隔作動によりラッチアームを変位するアクチュエータを備えることができる。しかしながら、より大きい市場は、ハンドルを有する直接操作ゲートラッチを指向しているように思われる。
【００１４】
本発明の実施態様は、従来のシリンダ錠ドアー錠に一致する容積、形状および構成に、すなわち約１５ｃｍｘ１０ｃｍｘ５ｃｍの範囲内に形成できる。
【００１５】
実施態様は、約１２キロガウスの残留磁気（残留磁束密度）を有する永久磁石により形成される磁性材料を有し、またラッチアームは、磁気特性を有し、かつ約８ｍｍの横方向寸法のピンを有し、かつ好ましくは、保持エレメントの本体内に封止され、さらにラッチアームは、ラッチ掛け部分を形成し、かつ磁気特性を有する適切な等級の鋼の鋼製ピンを有する。
【００１６】
作動手段用の回転自在のノブまたは回転自在のハンドルの代わりに、本発明は、遠隔に作動される、たとえば、ラッチ掛けアームの引込みのためにアクチュエータを回転させる電磁手段またはモータを使用して電気的に作動される実施態様に役立つ。
【００１７】
一般に器具は、ラッチ掛けアームと引込位置にある押圧手段へ荷重がほとんどないか、または好ましくは全く加えられないように、アクチュエータとラッチアームとの間に空動き相互接続部を組込む。
【００１８】
本発明の実施態様用の大きい市場は、ウエーハ錠またはシリンダ錠のような鍵作動機構を組込むゲート錠を指向しているように思われるが、実施態様は、単純な無錠ラッチ機構にできるか、または一方のハンドル上にエグレスボタンを、他方の上に錠を有する実施態様にできる。
【００１９】
実施態様は、内部エレメントを、引込位置（ハンドルが回転すると、そのエレメントが自由に回転する）から、そのエレメントが鍔状部材と係合して鍔状部材を回転し、ついで鍔状部材がキャリッジを変位してラッチアームを引込む伸張位置まで、錠が作動すると、変位される偏心駆動ピンを有することにより、空動き効果を提供できる。
【発明を実施するための最良の形態】
【００２０】
ここで使用される用語「から成る」（およびその文法的な変形）は、「有する」または「備える」の包括的な意味で使用され、「からだけで構成される」の意味で使用されない。
【００２１】
本発明を、添付図面を参照して、さらに説明する。
【００２２】
図１Ａ乃至１Ｃに概して示されるゲートラッチが、設置前の組立てられた形態で示される。ラッチ１０は、ゲートの柱上に取付けられる錠掛け自在のラッチモジュール１１、および固定されたゲート柱へ取付けられるようになっている受容ラッチブロック１２から成る。ラッチモジュールは、前部ケーシング１３、およびゲート柱の反対側に取付けられるようになっている後部ケーシング１４を有する。前部と後部のハンドル１５と１６が設けられ、また保安シリンダ錠１７が、独自の錠掛け目的のために、それぞれのハンドルに設けられる。
【００２３】
構成部材が図２に詳細に示される。取付け構造部材２０が、方形断面のゲート柱へ装着のために、構成部材をケーシング１３と１４内に取付けのために、かつハンドル１５と１６を取付けのために設けられる。取付け構造部材２０は、ラッチピン組立体を案内する離間した平行な溝２２を有するバックプレート２１、およびラッチ掛けピン２５が中を通して移動できる開口（図示されない）の周りに小さい鍔状部材２４を有する一体の端壁２３を備える。コイル圧縮バネ２６が、ラッチ掛けピン上に取付けられ、またラッチ掛けピン２５の右手端部は、組立てられると、一般にＣ形キャリッジ３１の円筒形突出部３０内に係合により装着される。キャリッジ３１は、バックプレート２１の溝２２内で摺動係合するために設けられる後面から延びる一体の平行案内帯状部３２を有する。
【００２４】
作動胴筒３３（図３と４に詳細に示される）が、ハンドルにより回転されて、ラッチ掛けピン２５に関してキャリッジを軸方向に変位するようになっている。その胴筒は、その端部が前部ケーシング１３の開口を通過して組立てられた後に、前部ハンドル１５の端部３４と係合する。作動タブ４０が、端部３４から突出して、胴筒３３のスロットと係合して回転を伝達する。胴筒３３は、バックプレート２１の開口を通して延び、後部ハンドル１６の端部３５へ接続される。作動タブ４０も、胴筒３３の後部のスロットと係合して、回転を伝達する。
【００２５】
図３で最も良く分かるように、作動胴筒３３は、シリンダ錠１７の後部から延びる従来の作動バーを受容する方形の通し開口３８を有する。その胴筒は、ここで図３と４を参照して説明するように、錠１７を錠外しするために鍵を回したときにだけ胴筒を回転させる構造部材を有する。
【００２６】
胴筒３３の後端部は、後部ハンドルから対応する作動タブ４０を受容する溝３９を有するので、ラッチが組立てられ、かついずれかのハンドルが回されたときに、回転動作が胴筒３３へ伝達される。同様な溝３９Ａが、前部ハンドルの作動タブ４０用に胴筒３３の前部に設けられる。胴筒組立体には、回動自在のアーム３４の端部に上部と下部の耳状部４１が備えられ、それらの耳状部は、アーム３４上に取付けられるＣ形バネクリップ３６を有する回動ピン３５上に取付けられて、アームを半径方向内側へ押圧するので、それぞれのアームの内周にある窪み３７が内筒３９の丸い突出部３９Ａ上に載置する。その窪みは、示される位置を確実に設定するように回り止め機能を有する。
【００２７】
胴筒の中間部分は、ねじりバネ６６（図３と４には示されないが、図２と７に示される）の端部ピン６４を保持するＬ形ブラケット４３を有する。Ｌ形ブラケットは、取付け脚部４４と、およびねじりバネ６６の本体を収納する溝４６を備えた円弧状ベース４５とを有する。
【００２８】
図５と６には、キャリッジ３１の詳細が示され、そのキャリッジは、中央壁３１Ａと、およびバネ錠掛けタグ３１Ｂを収納する部分的に円筒形の突出部３０とを有し、その突出部中に、ラッチ掛けピン２５の後部近くの溝２５Ａがスナップ嵌めされる。キャリッジ３１は、以下に述べるように、内側向きの丸い突出部６３のいずれかがアーム４２の耳状部４１により係合されるときに変位力を受容する突出部６３を有する。
【００２９】
図３は、錠１７が外されたときの構成を示すので、耳状部４１が突出し、図８に示されるようにハンドルが回転すると、上部耳状部６３が係合され、キャリッジが右へ直線状に動かされる。
【００３０】
ここで図７を参照すると、ラッチ掛けブロック１２が、固定されたゲート柱６０へ取付けられるのが示され、かつラッチ掛けモジュール１１がゲートの端部柱６１へ取付けられるのが示される。ラッチ掛けブロック１２は、部分断面図で示され、またラッチ掛けモジュールは、明確にするために前部ケーシングが取外されたのが示される。図７に示される構成において、ハンドルは、引上されており、またねじりバネ６６（図２に示される）の作用により水平に配置され、かつ胴筒３３上に取付けられる。図７は、所定の位置、すなわち、ラッチ掛け位置にある器具を示し、その位置において、ラッチピン２５が、磁気的に引寄せられ延びているので、ラッチピンの先端が開口５６内に係合する。バネ２６は、端壁２３の内部とキャリッジ３１との間で圧縮される。したがってキャリッジは、左へ引寄せられ、かつキャリッジの丸い突出部６３が、作動胴筒３３の耳状部４１へ隣接するか、またはそれと係合する。というのは、この構成において、錠が外されているからである。
【００３１】
しかしながら、錠が掛けられると、内筒３９は回され、かつ丸い突出部３９Ａは、バネクリップ３６の圧力を受けて内側に変位するアーム３４から離脱する。ハンドル１５が変位されるならば、耳状部４１は、キャリッジの丸い突出部６３と係合しないし、かつキャリッジは移動しない。
【００３２】
図７は、バックプレート２１から延びる位置決めピン６５と係合するねじりバネの端部ピン６４も示す。
【００３３】
ラッチ掛けブロック１２の構成部材は、図２の分解図でより明確に示される。
【００３４】
その構成部材は、端面上の開口５１を通過するネジにより柱へ固定されるようになっているＬ形取付けプレート５０から成る。その取付けプレートは、ラッチ本体５３の後部にある相補的な形状の溝と摺動係合するダブテイル形断面の溝５２を有する。ラッチ本体は、所定の位置に保持される高力磁石５４を収納する中央空洞を有し、またその空洞は、カバーエレメント５５が所定の位置に固定されるときに適切な封止剤により封止される。エレメント５５は、ラッチ掛けピン２５の先端と係合するときに、ラッチ掛け機能を備えた適切な形状の開口５６を有する。
【００３５】
主取付けネジ６７（図８に一層明確に示される）は、取付け構造部材２０の端壁２３を通して、後部ハウジング１４の雌ネジ切りされた受容アーム６８中に延びる。この図面では示されないが、前部ハウジング１１の後部には、円筒形内腔を有する離間した取付け舌片が設けられ、その内腔を通して、取付けネジ６７が延びて、組立を達成する。
【００３６】
図８は、一般的に、手動で錠外して、ハンドルを押下げた後の、ハンドル１５の下方への回転を示す。作動胴筒３３は、上部耳状部４１のキャリッジの上部丸い突出部６３との係合の理由により、キャリッジ３１を引込めるので、図８に示されるように、キャリッジを右へ変位する。かくしてピン２５は、図８に示される位置まで引込まれ、受容ブロックの空洞５６との係合から外される。ついでゲートを回動開放でき、またハンドルが引上げられると、磁場の影響がなくなるので、キャリッジ３１は、バネ２６の押圧力を受けて、その位置に留まり、かつラッチピン２５を引込めたままにする。
【００３７】
図９は、キャリッジ３２をその右手変位位置にした状態で、ねじりバネ６６の作用を受けて初期位置へ戻されたハンドルを示す。
【００３８】
ゲートがその閉止位置へ戻されると、および戻されるとき、ラッチピン２５は、受容空洞５６と再び整合するようになり、ついで強力な磁場の作用を受けて引寄せられ、左へ移動して、押圧バネ２６を圧縮し、かつキャリッジ３２を左へ摺動するので、図７の構成が達成される。
【００３９】
第１の実施態様と同様であるが、一層実際的な変形態様である本開示の第２の実施態様を示す図１０をここで参照する。同様な参照数字は同様な部材に使用されており、相違点だけが強調される。
【００４０】
この実施態様は、それぞれのハンドルにおける従来の６ピン式シリンダ錠１７を取付ける詳細を示す。その錠は、対応する空洞に係合するそれぞれのシリンダから横方向の突出部でハンドル胴筒に挿入される。保持プレート１９が、空洞を閉じるように挿入され、固定ネジ１９Ａにより固定される。それぞれのシリンダ錠には、突出タブ１８が設けられ、そのタブは、従来の目的のために方形断面形状のものであり、かつ以下に詳細に説明するように、作動胴筒３３に付随する、対応する内筒エレメント２７と２８に適切に係合する長さのものである。
【００４１】
それぞれのハンドルは、バネクリップ６９によりそれぞれのケーシングへ固定される。
【００４２】
この実施態様において、取付けプレート２０の形態は、図示されるように僅かに異なるものであり、また端壁２３は、一体の保安ハウジング突出部２８を組込む。
【００４３】
この実施態様において、胴筒３３は、第１の実施態様の回動自在のバネアーム３４の代わりに、成形された鍔状部材２９を有する。この鍔状部材内に凸縁部５７が取付けられ、その凸縁部は、以下に述べるように２本の普通のロールピン５９により固定される前部と後部の内筒２７と２８へ協働状態で固定される。
【００４４】
図１０は、この実施態様において、ハンドルが、回転伝達のために一対の円弧状突出タブ４０を有することを示す。前部ハンドル４０は、組立てられると、胴筒３３の前部の溝６６に係合するタブを有し、一方、後部ハンドル１６は、胴筒３３の後部の溝６７と係合するタブ４０を有する。かくしてハンドルのいずれかを回転すると、胴筒が回転される。しかしながら、鍔状部材２９は、凸縁部５７が鍔状部材の窪み２９Ａに係合していない限り回転しない。係合は、錠外しにより達成される。前部錠を外すと、内筒の中央開口における方形バー１８の係合の理由により、内筒２７を回し、およびピン２９の偏心位置決めのために、図１０に示されるように、凸縁部が左へ変位されて、その前端部が鍔状部材の空洞２９Ａに係合する。その後にハンドルを回転すると、鍔状部材２９と上部または下部の耳状部４１の回転が生じ、ついで、それがＣ形キャリッジの丸い突出部６３と係合してラッチ掛けピンを引込める。
【００４５】
錠掛けされた構成で組立てられた器具の垂直中央平面を通した斜視図である図１１をここで参照すると、凸縁部５７の構成が一層良く分かる。鍔状部材２９は、その背後に位置決めされる、この図では示されないねじりバネ６６で、胴筒３３上に回転自在に取付けられる。これにより、胴筒は、その通常または停止位置へ押圧される。凸縁部５７は、垂直方向に伸張された僅かに細長い開口５８を有し、対応する内筒２７と２８から、それぞれ通し内腔を有する円筒形突出部を、開口のそれぞれの側面から受容する。第１のピン５９Ａは、内筒２７を通し、その円筒形突出部を通して、凸縁部の背後にある内筒２８の相補的な円筒形突出部に挿入される。第２のピン５９Ｂは、内筒２７の開口を通し、凸縁部の円弧状スロット５７Ａを通して、他の内筒２８の対応する開口に挿入される。
【００４６】
鍔状部材２９は、胴筒の周りに回転自在に取付けられ、また図１１に示される位置において凸縁部５７は、引込位置にあるので、ハンドルによる胴筒と凸縁部の回転は、鍔状部材４１へどのような回転も伝達しない。耳状部４１は、キャリッジの丸い突出部６３に隣接して位置する。鍵機構が作動されて、ハンドルを錠外しすると、内筒２７の回転が生じ、および偏心配設された上部ロールピン５９が、中央ピン５９Ｂに関して、反時計方向に回転するので、図１１に示されるように、凸縁部を左へ変位する。ついで、これにより、凸縁部の前端部が空洞２９Ａに係合するので、その後にハンドルが回転すると、胴筒、凸縁部および鍔状部材を回転し、それにより、キャリッジ３１とラッチピン２５を引込める。
【００４７】
図１２と１３は、錠掛けおよび錠外し構成における組立てられた構成部材を拡大した等角図で示す。
【００４８】
図１０に示されるシリンダ錠の代わりに、それより安価で単純なウエーハ錠を使用できる。図１４は、そのような実施態様の分解図である。シリンダ錠は固有の空動き作用を有するが、ウエーハ錠は有しない。したがって、ウエーハ錠１１７が使用されるとき、アダプタ胴筒１１７Ａまたは１１７Ｂが利用される。それぞれのアダプタ胴筒には、偏心配設された円弧状スロットが設けられ、そのスロットは、ウエーハ錠の端部に面し、およびウエーハ錠（図１４の後部ウエーハ錠１１７を参照）の後端部にある先端１１７Ｃからの偏心配設された円筒形突出部用の空動きを受容かつ提供する。前部アダプタ胴筒１１７Ａの場合、その胴筒は、前部内筒２７と係合し、かつそれを回転する短い方形バー１１７Ｄを備え、また後部アダプタ胴筒１１７Ｂの場合には、後部内筒２９を駆動する作用を有する細長い方形駆動バー１８の端部を収納する方形スロット１１７Ｅが、そのアダプタ胴筒にある。
【００４９】
図１５は、無錠の変形態様である第３の実施態様の分解図であり、そこにおいて、同様な部材には、同様な参照番号が付けられている。同等な機能性が、錠掛けオプションによる複雑性を生じることなく、適用される。この実施態様において、カバープレート１１３により保持される高性能磁石５４に空洞を組込む、別の形態の非調節自在のラッチブロック１１２が、図示される。
【００５０】
胴筒３３は、耳状部４１と、および前方端部において、胴筒を回転する前ハンドルの後部からの突出タブ４０と係合する一対の溝３３Ａとを組込む一体の成形体として単純化される。胴筒の後部は、後部ハンドル１６からの突出タブ４０と同様に係合する別の溝３３Ｂを有する。胴筒は、組立てられると、キャリッジ３１の丸い突出部６３の背後に位置する耳状部４１で位置決めされ、またこの実施態様は、キャリッジを直接作動することにより作動する。
【００５１】
図１５は、示されるハンドルを利用する部材の代替である回転ドアーノブの従来の正方形駆動バーを受容する、胴筒を通して延びる正方形開口３３Ｃも図示する。
【００５２】
ここで図１６乃至１８の第５の実施態様を参照すると、それらの図面は、第１の実施態様の作動胴筒３３、および付随する上部耳状部４１と上部丸い突出部６３を置換する、錠掛けピン２５とハンドル１５との間の別の接続システムを示す。この実施態様においては、屈曲自在の線状部材７０が周りに取付けられるドラム（図示されない）が設けられる。線状部材７０は、ピン２５の右手端部へ接続される。図１６は、図７に示されるものと同一の所定位置にある器具を示す。錠掛けピン２５は左側に引かれ、かつ屈曲自在の線状部材７０はドラムから離れて引かれてピンと張られる。この構成においてハンドル１５と１６は、引上げられて、ねじりバネ６６の作用により水平に配置される。
【００５３】
ここで図１７を参照すると、一般にハンドル１５の手動での錠外しと押下後にハンドル１５の下方回転が生じて、屈曲自在の線状部材７０が錠掛けピン２５を引込み、そのピンを磁石５４の力に抗して右へ変位する。かくしてピン２５は、図１７に示される位置へ引込まれ、かつ受容ブロックの空洞５６との係合から外される。ついでゲートを回動開放でき、またハンドルが引上られると、錠掛けピン２５上へは磁場が作用しない。ピン２５は、押圧バネ２６により右へ押圧される。図１８は、ハンドル１５が引上げられ、ねじりバネ６６の作用を受けて、その初期位置に戻るとき、屈曲自在の線状部材７０の垂れ下がりを示す。
【００５４】
上述の実施態様と同様な仕方で、ドアーまたはゲートが閉止位置へ戻されるとき、図１６の構成が、再度達成される。
【００５５】
ここで図１９の改作態様を参照すると、電気アクチュエータ７２を備える遠隔アクチュエータ７２を設けた部材が概略示され、その電気アクチュエータ７２は、器具を閉止する回路へ結線接続されるとき、または無線信号を受信し、解釈して器具を作動するアンテナ７４へ結線接続されるときに一組の接続部７３を有する。その回路は、ドラム７０Ａを駆動する電磁部または小型モータを駆動するに足るトランジスタラジオ電池のような電力源を備える。かくして遠隔作動が実施されて、ゲート錠を遠隔に作動できる。
【００５６】
ここで図２０と２１の第７の実施態様を参照すると、同様な参照番号が同様な部材に使用されている。この実施態様は、変更されない場合に第１の実施態様のように機能する変更された胴筒３３を回転する直線状押しボタン操作に対応することにより、第１の実施態様と異なる。
【００５７】
押しボタン１１８は、ラッチピン２５の軸と整合された水平軸を有するピニオン１２２と係合するギヤラック１１９を有する。ボタン１１８は、器具のハウジング内に摺動自在に取付けられ、かつバネ（図示されない）により、その外方位置または突出位置へ押圧される。ボタンが押下げられると、ラック１１９は、胴筒３３上のギヤ１２１と常時噛み合うクラウンギヤ１２０を担持するピニオン１２２を回転するので、胴筒が回転する。上部耳状部４１は、キャリッジ３１の上部の丸い突出部６３と係合して、キャリッジとラッチピン２５を、図２０に示される位置へ引込める。
【００５８】
器具が上に取付けられるゲートを開放した後に、ボタンを放すと、胴筒とボタンは、図２１に示されるものに対応する初期位置まで戻るが、キャリッジ３１とラッチピンは、図２０に示される変位した位置に留まる。
【００５９】
ゲートがその閉止位置へ再位置決めされると、受容ユニット（図示されない）内の磁石が、図２１に示されるラッチ掛け位置までラッチピンを引寄せる。
【図面の簡単な説明】
【００６０】
【図１Ａ】ゲートへ取付けるのに好適な本発明の一実施態様の平面図である。
【図１Ｂ】ゲートへ取付けるのに好適な本発明の一実施態様の正面図である。
【図１Ｃ】ゲートへ取付けるのに好適な本発明の一実施態様の端面図（図１Ａの矢印Ａ方向）である。
【図２】図１Ａ乃至１Ｃの実施態様の器具の分解図である。
【図３】拡大された器具の作動胴筒の端面図である。
【図４】拡大された作動胴筒の等角図である。
【図５】拡大されたラッチアームの摺動キャリッジの立面図である。
【図６】図５の摺動キャリッジの立面図である。
【図７】正面ハウジングを取外した立面図であり、ラッチアームのラッチピンを、ラッチブロックの空洞にラッチ掛け係合するように延ばしたラッチ掛け構成を示す。
【図８】図７に対応するが、付随するゲートを回動開放させるようにラッチピンを引込むために作動ハンドルを回転した後を示す。
【図９】図８に対応する図であるが、ハンドルを通常位置まで戻すように引上後で、かつラッチピンを引込位置に引込めた図である。
【図１０】第２の実施態様の部分的に分解された等角図である。
【図１１】錠を掛けた構成において、かつラッチピンが磁力により受容ラッチブロックに係合されたときの図１０の実施態様の等角断面図である。
【図１２】拡大して、かつ錠を掛けた構成で示される第２の実施態様の回転作動する機構を拡大した等角図である。
【図１３】図１２に対応する図であり、錠を外した構成を示す。
【図１４】第３の実施態様の分解図である。
【図１５】第４の実施態様の分解図である。
【図１６】空動きシステムを形成するために、屈曲自在の線状部材を利用する第５の実施態様の図である。
【図１７】図１６の実施態様の図であり、そこにおいて、ハンドルが押下げられている。
【図１８】図１６と１７の実施態様の図であり、そこにおいて、ハンドルは、押下げられた後に中立位置まで戻されている。
【図１９】遠隔作動用に変更された第６の実施態様の概略図である。
【図２０】ラッチピンを引込むように作動されたときの第７の実施態様の正面部分断面図である。
【図２１】アクチュエータが解放され、ゲート閉止位置に到達し、かつラッチピンがラッチ掛け位置まで磁気的に変位されたときの図２０の実施態様の図である。
【図１Ａ】
2005240540.tif 000003
【図１Ｂ】
2005240540.tif 000004
【図１Ｃ】
2005240540.tif 000005
【図２】
2005240540.tif 000006
【図３】
2005240540.tif 000007
【図４】
2005240540.tif 000008
【図５】
2005240540.tif 000009
【図６】
2005240540.tif 000010
【図７】
2005240540.tif 000011
【図８】
2005240540.tif 000012
【図９】
2005240540.tif 000013
【図１０】
2005240540.tif 000014
【図１１】
2005240540.tif 000015
【図１２】
2005240540.tif 000016
【図１３】
2005240540.tif 000017
【図１４】
2005240540.tif 000018
【図１５】
2005240540.tif 000019
【図１６】
2005240540.tif 000020
【図１７】
2005240540.tif 000021
【図１８】
2005240540.tif 000022
【図１９】
2005240540.tif 000023
【図２０】
2005240540.tif 000024
【図２１】
2005240540.tif 000025
【外国語明細書】
2005240540.tif 000026
2005240540.tif 000027
2005240540.tif 000028
2005240540.tif 000029
2005240540.tif 000030
2005240540.tif 000031
2005240540.tif 000032
2005240540.tif 000033
2005240540.tif 000034
2005240540.tif 000035
2005240540.tif 000036
2005240540.tif 000037
2005240540.tif 000038
2005240540.tif 000039
2005240540.tif 000040
2005240540.tif 000041
2005240540.tif 000042
2005240540.tif 000043
【図１Ａ】
2005240540.tif 000044
【図１Ｂ】
2005240540.tif 000045
【図１Ｃ】
2005240540.tif 000046
【図２】
2005240540.tif 000047
【図３】
2005240540.tif 000048
【図４】
2005240540.tif 000049
【図５】
2005240540.tif 000050
【図６】
2005240540.tif 000051
【図７】
2005240540.tif 000052
【図８】
2005240540.tif 000053
【図９】
2005240540.tif 000054
【図１０】
2005240540.tif 000055
【図１１】
2005240540.tif 000056
【図１２】
2005240540.tif 000057
【図１３】
2005240540.tif 000058
【図１４】
2005240540.tif 000059
【図１５】
2005240540.tif 000060
【図１６】
2005240540.tif 000061
【図１７】
2005240540.tif 000062
【図１８】
2005240540.tif 000063
【図１９】
2005240540.tif 000064
【図２０】
2005240540.tif 000065
【図２１】
2005240540.tif 000066